(57)【特許請求の範囲】
【請求項１】
躯体開口部に取付けた外枠と、外枠の内周側に組み込んだサッシ枠とを備え、外枠は上下左右の外枠材を枠組みしてあり、室内外方向でサッシ枠に当接する当接部を備え、下外枠材はサッシ枠載置部を備え、少なくとも上左右外枠材は室外側面に設けた外壁見切り部を備え、躯体開口部に固定した外枠にサッシ枠を室内側から組み込んで下外枠材に載置してあるとともにサッシ枠を躯体開口部にボルト・ナットにより着脱自在に取付けてあり、サッシ枠の室内側にインフィルをねじ止めにより着脱自在に取付けてあることを特徴とするサッシ構造体。
【発明の詳細な説明】
【０００１】
【発明の属する技術分野】
本発明は、集合住宅のテラス等に取付けられるサッシ構造体に関する。
【０００２】
【従来の技術】
特開平１１−６２３９３号公報（第１公報）には、躯体開口部に外枠とサッシ枠とを設け、外枠とサッシ枠とをそれぞれ躯体開口部にねじ止めにより取付ける技術が開示されている。
また、実開昭５９−３５５８３号公報（第２公報）には、躯体開口部に外枠を固定し、外枠の内周側にサッシ枠を設けてサッシ枠を外枠にボルト止めする技術が開示されている。
【０００３】
【発明が解決しようとする課題】
しかし、上述の第１公報に開示の技術では、下外枠に障子レールを設けてあるので、サッシ枠の種類変更（窓種変更）をする場合は、外壁を破壊し、外枠及びサッシ枠を取り外さなければならないとう問題があった。
第２の公報に開示の技術では、サッシ枠の取り替えや種類変更は自在であるが、サッシ枠を外枠に固定しているので、テラスサッシのような大型のサッシの場合には、サッシ枠が受ける風圧に耐えるため、外枠の枠断面を大きなものにしなければならないという問題がある。
そこで、本発明は、施工が容易にできるとともに、躯体開口部に損傷を与えることなくサッシ枠の種類変更や取り替えができ、且つ外枠の断面を小さくできるサッシ構造体の提供を目的とする。
【０００４】
【課題を解決するための手段】
請求項１に記載の発明は、躯体開口部に取付けた外枠と、外枠の内周側に組み込んだサッシ枠とを備え、外枠は上下左右の外枠材を枠組みしてあり、室内外方向でサッシ枠に当接する当接部を備え、下外枠材はサッシ枠載置部を備え、少なくとも上左右外枠材は室外側面に設けた外壁見切り部を備え、躯体開口部に固定した外枠にサッシ枠を室内側から組み込んで下外枠材に載置してあるとともにサッシ枠を躯体開口部にボルト・ナットにより着脱自在に取付けてあり、サッシ枠の室内側にインフィルをねじ止めにより着脱自在に取付けてあることを特徴とする。
【０００５】
この請求項１に記載の発明は、躯体開口部に外枠を固定し、躯体開口部の室内側からサッシ枠を外枠の内周側に組み込み、外枠の当接部にサッシ枠を内外方向に当接させるとともにサッシ枠を下外枠に載置する。この状態で、サッシ枠を躯体開口部にボルト・ナットで止める。
サッシ枠は外枠とは別に躯体開口部に取付けるので、外壁工事の完了後や外枠の取付工事と別にサッシ枠の取付工事をおこなうことができ、施工時期の自由度が高い。また、サッシ枠の種類、例えば、嵌め殺し窓や開き窓の枠、又はドア枠等を外枠の取付後に決めることもでき、あるいは一度決めたものを変更することもできる。
更に、躯体開口部にサッシ枠を取付け後、サッシ枠を交換するときには、ねじ止めしているインフィルのねじを外し、躯体開口部とサッシ枠とを固定しているボルト・ナットを外すだけで、躯体や外枠を破壊することなく、サッシ枠を躯体開口部から外すことができ、新たなサッシ枠を再び躯体開口部にボルト．ナットで固定するとともにインフィルをねじ止めすればよいので、サッシ枠の取り替え工事が容易である。
サッシ枠の取付は、下外枠材にサッシ枠を載置してサッシ枠を下外枠材が受けた状態で作業できるので、作業しやすい。
外枠とサッシ枠とは夫々躯体開口部に固定して外枠とサッシ枠とがそれぞれの荷重を分担しているので、サッシ枠を外枠に固定している場合に比較して外枠材にかかる荷重を少なくできる。従って、外枠材に断面の小さいものを使用でき、製造し易いとともに取り扱いやすく、更にコストの低減を図ることができる。
【０００６】
【発明の実施の形態】
以下に、添付図面を参照して、集合住宅のテラスに取付けた本発明の実施にかかるサッシ構造体の詳細について説明する。図１は本発明にかかるサッシ構造体を取付けた躯体開口部の嵌め殺し窓における縦断面図であり、図２はサッシ構造体を取付けた躯体開口部のドアにおける縦断面図であり、図３はサッシ構造体を取付けた躯体開口部の横断面図である。
本実施の形態にかかるサッシ構造体１は、躯体開口部５に取付けられており、サッシ枠７と、外枠９とを備えている。本実施の形態では、サッシ構造体１には嵌め殺し窓１１とドア１３とが連窓されており、サッシ枠７は嵌め殺し窓枠１５とドア枠１７である。
躯体開口部５は、ねじを螺合することが困難なコンクリート製である。躯体開口部５の室外側には、外壁（タイル）６が設けられている。
外枠９は、上外枠材１９、下外枠材２１、左外枠材２３及び右外枠材２５を枠組みしており、躯体開口部５の内側周囲に設けられている。上下左右外枠材１９、２１、２３、２５にはそれぞれ、ブラケット２７の係止部２９が設けてあり、ブラケット２７は躯体開口部５のスチール材３１に溶接固定されている。
サッシ枠７は上枠４１、下枠材４３、左右竪枠材４５、４７を枠組みしている。尚、嵌め殺し窓では障子４９がサッシ枠７に固定されており、ドアでは、ドア本体５１が開閉自在にサッシ枠７に取付けられている。
下外枠材２１には、サッシ枠７の載置部３３が設けられており、サッシ枠７を受けている。また、下外枠材２１には室内側から室外側に向かう水平方向でサッシ下枠材４３に当接する当接部３５が設けられている。この当接部３５は外枠９の内周側に向けて突設しており、載置部３３も兼ねている。
上外枠材１９、左外枠材２３、右外枠材２５はそれぞれ、下外枠材２１と同様に躯体開口部５に固定するブラケット２７の係止部２９と、室内側から室外側に向かう水平方向で対応する各サッシ枠材４１、４５、４７に当接する当接部３５が設けられている。
また、上外枠材１９、左外枠材２３、右外枠材２５には、室外側面に外壁見切り部５３が設けてあり、外壁３との間がシール材５５によりシールされている。
サッシ枠７の上下枠４１、４３及び左右竪枠４５、４７には、ボルト５９の頭６０をスライド可能に保持するボルト係合部６１が設けられており、ボルト５９は躯体開口部５のスチール材３１に固定されたブラケット５７にナット６３により固定されている。
即ち、サッシ枠７は躯体開口部５に固定しており、外枠９に固定していない。このため、サッシ枠７を外枠９に固定している場合に比較して外枠材９にかかる風圧等を少なくでき、各外枠材１９、２１、２３、２５に断面の小さいものを使用できる。
また、サッシ枠７において上下枠材４１、４３及び左右竪枠材４５、４７には対応する各外枠材１９、２１、２３、２５の当接部３５に室内側から当接する被当接部６５が設けられている。
上下枠材４１、４３及び左右竪枠材４５、４７の室内側にはインフィル取付部６７が設けてあり、このインフィル取付部６７には、ねじ６９によりインフィル（額縁材）７１が固定されている。
尚、本実施の形態では、サッシ構造体１には、嵌め殺し窓１１とドア１３とが連窓されており、隣合う嵌め殺し枠の右竪枠４７とドア枠の左竪枠４５とは、方立７３にねじ固定されている。この方立７３には、上下枠４１、４３は固定されていない。
【０００７】
次に、本実施の形態にかかるサッシ構造体１の施工方法を説明する。まず、躯体開口部５のスチール材３１に溶接固定したブラケット２７に外枠９の上下左右の外枠材１９、２１、２３、２５を装着して、外枠９を取付ける。
次に、サッシ枠７を室内側から室外側に向けて外枠９の内周側に組込み、上下左右の外枠材１９、２１、２３、２５に設けた各当接部３５にサッシ枠７の各被当接部６５を当接させる。これによりサッシ枠７の位置決めが容易にできる。
同時に、サッシ枠７の下枠４３を下外枠材２１の載置部３３に載置する。載置部３３がサッシ枠７を受けた状態で、サッシ枠７の取付作業ができるので、作業しやすい。
サッシ枠７を躯体開口部５に取付けるブラケット５７は、サッシ枠７がボルト５９により取付けられた断面略Ｌ字形状のサッシ側ブラケット５７ｂと、躯体開口部５のスチール材３１に固定された断面略Ｌ字形状の躯体側ブラケット５７ａと、躯体側ブラケット５７ａとサッシ側ブラケット５７ｂとを固定するボルト６４とで構成されており、躯体側ブラケット５７ａに形成してある横方向の長孔６６とサッシ側ブラケット５７ｂに形成してある縦方向の長孔６８とで躯体側ブラケット５７ａとサッシ側ブラケット５７ｂとの取付け位置を縦横方向に調整自在になっている。
サッシ枠７の躯体開口部５への固定は、サッシ側ブラケット５７ｂと躯体側ブラケット５７ａとを固定しておこなうが、サッシ側ブラケット５７ｂは、サッシ枠７のボルト係合部６１にボルトの頭６０を係合したボルト５９をナット６３で緩めに取付けて、サッシ側ブラケット５７ｂをボルト係合部６１に沿って移動可能にして、躯体側ブラケット５７ａに合う位置にサッシ側ブラケット５７ｂをスライドし、ボルト６４でサッシ側ブラケット５７ｂと躯体側ブラケット５７ａとを固定する。一方、ボルト５９もナット６３で締め付けることによってサッシ枠７を躯体開口部５に固定する。
嵌め殺し窓１１とドア１３とのうちの一方のサッシ枠（嵌め殺し窓枠）１５を躯体開口部５に取付けた後、このサッシ枠１５の竪枠（左竪枠）４５に方立７３をねじ止めし、他方のサッシ枠（ドア枠）１７を一方のサッシ枠１５と同様にして躯体開口部５に取付けた後、他方のサッシ枠１７の竪枠（右竪枠）４７を方立７３にねじ止めする。
その後、サッシ枠７にあるインフィル取付部６７にねじ６９でインフィル７１を固定する。
このようにして、サッシ構造体１の施工をおこなうが、サッシ枠７及び外枠９はそれぞれ躯体開口部５に固定するので、外壁６の施工完了と時期を合わせて取付ける必要がなく、また、外枠９と時期を同じにしてサッシ枠７を取付ける必要もないので、施工時期の自由度が高い。
しかも、サッシ枠７は、外枠９とは別に躯体開口部５に固定するから、外壁６の工事の完了後や外枠９の取付後に、サッシの種類、例えば、突き出し窓や、引き違い窓等に種類変更したい場合にも容易に変更できる。
サッシ構造体１の施工後にサッシ枠７を取り替える場合には、インフィル７１を取付けているねじ６９を外し、インフィル７１をサッシ枠７から外した後、ナット６３を緩めて躯体開口部５とサッシ枠７との固定を解除して、サッシ枠７を室内側に引き入れるよう外し、新たなサッシ枠を室内側から組み入れ、新たなサッシ枠を躯体開口部５にボルト５９とナット６３で固定した後、インフィル７１をねじ６９で止める。このように、施工後のサッシ枠７の交換が躯体開口部５や外枠９に損傷を与えることがなく、容易にできる。
【０００８】
本発明は、上述した実施の形態に限らず、本発明の要旨を逸脱しない範囲で種々変形可能である。
例えば、インフィル７１は額縁材に限らず、床材等の他の内装材であってもよい。
外枠９と躯体開口部５との固定は、ボルトとナットによる固定であってもよい。
サッシ構造体１は異なる種類の窓を連窓することに限らず、一つの窓であってもよく、あるいは、同種の窓を連窓するものであってもよい。
外枠９と躯体開口部５との固定箇所及びサッシ枠７と躯体開口部５とのボルト５９及びナット６３による固定箇所の数は制限されず、何ヶ所あってもよい。
当接部３５は、外枠９の上下左右の枠材１９、２１、２３、２５の全ての枠材に設けることに限らず、外枠９の２つ又は３つの枠材に設けるものであってもよい。
【０００９】
【発明の効果】
請求項１に記載の発明によれば、サッシ枠は外枠とは別に躯体開口部に取付けるので、外壁工事の完了後や外枠の取付工事と別にサッシ枠の取付工事をおこなうことができ、施工時期の自由度が高い。また、サッシ枠の種類を外壁の完成後や外枠の取付後に決めたり、あるいは一度決めたものを種類変更することも容易にできる。
サッシ枠にはインフィルをねじ止めしているとともに躯体開口部にボルト・ナット止めしているので、ねじ止めしているインフィルを外した後、躯体開口部とサッシ枠とを固定しているボルト・ナットを外すだけで、躯体や外枠を破壊することなく、サッシ枠を外すことができ、サッシ枠の取り替え工事が容易である。
サッシ枠の取付は、下外枠材にサッシ枠を載置してサッシ枠を下外枠材が受けた状態で作業できるので、作業しやすい。
外枠とサッシ枠とは夫々躯体開口部に固定してそれぞれの荷重を分担しているので、サッシ枠を外枠に固定している場合に比較して外枠材にかかる荷重が少ない。従って、外枠材に断面の小さいものを使用でき、製造し易いとともに取り扱いやすく、更にコストの低減を図ることができる。
【図面の簡単な説明】
【図１】  本発明の実施の形態にかかるサッシ構造体を取付けた躯体開口部の嵌め殺し窓における縦断面図である。
【図２】  サッシ構造体を取付けた躯体開口部のドアにおける縦断面図である。
【図３】  図１に示すサッシ構造体を取付けた躯体開口部における横断面図である。
【符号の説明】
１    サッシ構造体
５    躯体開口部
６    外壁
７    サッシ枠
９    外枠
１９  上外枠材
２１  下外枠材
２３  左外枠材
２５  右外枠材
３３  載置部
３５  当接部
５３  外壁見切り部
５９  ボルト
６３  ナット
６９  ねじ
７１  インフィル
【図１】
0003710400.tif 000002
【図２】
0003710400.tif 000003
【図３】
0003710400.tif 000004